(57)【要約】      （修正有）【課題】電子機器に搭載しているハードディスクを順に起動させることのできる電子機器及び起動制御方法を提供する。【解決手段】テレビジョン受像機は、電源部１９と、制御部と、複数のＨＤＤ１０とを備える。各ＨＤＤ１０は、ＨＤＤバス２２で接続している制御部から制御信号を受信し、電源ライン２３で接続している電源部１９から電源信号を受信する。ＨＤＤ１０のモータは、電源ポート２１の制御ピンをオープンにしているため、電源部１９から電源信号の受信と同時ではなく、ＨＤＤ起動制御部２４からの制御信号を受信することでモータの回転を開始する。ＨＤＤ起動制御部２４は所定時間毎に、モータの回転を指示する制御信号を各ＨＤＤ１０に対して送信することで、ＨＤＤ１０を順に起動する。【選択図】図３
2011210339.tif 000002
【特許請求の範囲】
【請求項１】
複数のハードディスクと、
前記ハードディスクに電力を供給する電源部と、
前記ハードディスクに対して起動コマンドを送信する制御部と、
を有し、
前記ハードディスクは、少なくとも第１のハードディスクと、第２のハードディスクとを含み、
前記制御部は、前記電源部から前記複数のハードディスクに電力を供給した後、前記第１のハードディスクに起動コマンドを送信し、所定時間の経過後に前記第２のハードディスクに起動コマンドを送信することを特徴とする電子機器。
【請求項２】
前記ハードディスクは、モータを有し、前記起動コマンドを受信すると前記モータを回転させることを特徴とする請求項１に記載の電子機器。
【請求項３】
前記ハードディスクは、前記電源部から電力を供給されても、前記モータを回転させないことを特徴とする請求項２に記載の電子機器。
【請求項４】
前記ハードディスクは、前記電源部に接続する所定の規格に準拠する電源ポートを有し、前記電源ポートの所定の制御ピンを解放していることを特徴とする請求項１に記載の電子機器。
【請求項５】
前記所定の規格は、SATA（Serial Advanced Technology Attachment）であることを特徴とする請求項１に記載の電子機器。
【請求項６】
前記電子機器は、放送波を選択するチューナを有することを特徴とする請求項１に記載の電子機器。
【請求項７】
複数のハードディスクを搭載した電子機器の前記ハードディスクの起動制御方法であって、
前記複数のハードディスクに前記電子機器に搭載される電源部から電力を供給し、
前記複数のハードディスクの内の第１のハードディスクに起動コマンドを送信し、
所定時間経過後、前記複数のハードディスクの内の第２のハードディスクに起動コマンドを送信することを特徴とする起動制御方法。
【発明の詳細な説明】
【技術分野】
【０００１】
本発明は、電子機器及び起動制御方法に関する。
【背景技術】
【０００２】
近年、複数のハードディスク装置を搭載した電子機器が登場している。このような電子機器においては通常、複数のハードディスク装置は単一の電源装置による電源ラインから電源供給によって駆動される。
【０００３】
ハードディスクを起動させると、モータが回転させるためのラッシュ電流を要し、安定動作状態になるまでに数秒かかる。複数のハードディスクを搭載している電子機器を一斉に起動させると、過大なラッシュ電流がかかってしまう。
【０００４】
そこで、複数のハードディスクの起動タイミングをハードディスクコントローラで遅延させ、システム電流容量の範囲内でハードディスクを確実に起動させることが行われている（例えば、特許文献１）。
【先行技術文献】
【特許文献】
【０００５】
【特許文献１】特開平１０−１１８７２
【発明の概要】
【発明が解決しようとする課題】
【０００６】
しかし、上述の技術は、システムの電流値を計測してシステムの電流容量を超えない範囲で起動するハードディスクの台数を設定するものであり、起動させるハードディスク台数が制限されることがあった。
【０００７】
本発明は上述の課題に鑑みてなされるものであり、電子機器に搭載しているハードディスクを順に起動させることを目的とするものである。
【課題を解決するための手段】
【０００８】
本発明にかかる電子機器は、複数のハードディスクと、前記ハードディスクに電力を供給する電源部と、前記ハードディスクに対して起動コマンドを送信する制御部と、
【０００９】
を有し、前記ハードディスクは、少なくとも第１のハードディスクと、第２のハードディスクとを含み、前記制御部は、前記電源部から前記複数のハードディスクに電力を供給した後、前記第１のハードディスクに起動コマンドを送信し、所定時間の経過後に前記第２のハードディスクに起動コマンドを送信することを特徴としている。
【００１０】
また、本発明にかかる起動制御方法は、複数のハードディスクを搭載した電子機器の前記ハードディスクの起動制御方法であって、前記複数のハードディスクに前記電子機器に搭載される電源部から電力を供給し、前記複数のハードディスクの内の第１のハードディスクに起動コマンドを送信し、所定時間経過後、前記複数のハードディスクの内の第２のハードディスクに起動コマンドを送信することを特徴としている。
【発明の効果】
【００１１】
本発明によれば、電子機器に搭載しているハードディスクを順に起動させることが実現する。
【図面の簡単な説明】
【００１２】
【図１】本実施の形態におけるテレビジョン受像機の外観図。
【図２】本実施の形態におけるテレビジョン受像機の機能ブロック図。
【図３】本実施の形態におけるハードディスクの外観図。
【図４】従来の複数ハードディスク搭載の電子機器における起動時の電流値を示すグラフ。
【図５】本実施の形態における起動時の電流値を示すグラフ。
【図６】本実施の形態における起動制御方法の手順を示すフローチャート。
【発明を実施するための形態】
【００１３】
以下、本発明にかかる電子機器の実施の形態について、図１〜図６を用いて説明する。本実施の形態においては、電子機器としてテレビジョン受像機を例に説明するが、これは一例に過ぎず、ハードディスクを複数搭載している電子機器であれば他の機器でも良い。
【００１４】
図１は、本実施の形態におけるテレビジョン受像機１００の外観図である。テレビジョン受像機１００は、主として薄型のキャビネット１１０と、これを支持するスタンド１２０とから構成されている。キャビネット１１０は、後述するチューナ３等の電子装置を格納する。スタンド１２０はテレビ台１６０に載置して設置するための支持機構である。また、キャビネット１１０の正面中央部にディスプレイ１３０が配置され、映像を視聴することができる。また、左右の下端にはスピーカ１４０が配置され、ステレオ音声再生を行うことができる。
【００１５】
スピーカ１４０は、キャビネット１１０内において音声出力方向が下向きに内蔵され、音声がテレビジョン放送受信装置１００の下方へ出力される。出力された音声はテレビジョン放送受信装置１００の載置されているテレビ台１６０や、スピーカ１４０の下方に位置するスタンド１２０等で反射され、広がりのある音声を聴取することができる。また、スピーカ１４０は、下向きに音声を出力するように配置され、前面からは配置されている位置が見えないようになっている。
【００１６】
図２は、本実施の形態におけるテレビジョン受像機１００の機能ブロック図である。テレビジョン放送受信装置１００は、アンテナ１と、入力端子２と、チューナ３と、ＴＳ（Ｔｒａｎｓｐｏｒｔ  Ｓｔｒｅａｍ）処理部４と、信号処理部５と、グラフィック処理部６と、ＯＳＤ（Ｏｎ  Ｓｃｒｅｅｎ  Ｄｉｓｐｌａｙ）信号生成部７と、音声処理部８と、映像処理部９と、ＨＤＤ（Ｈａｒｄ  Ｄｉｓｋ  Ｄｒｉｖｅ）１０と、制御部１１と、操作部１５と、受信部１６と、ＨＤＭＩ  Ｉ／Ｆ１７と、ＨＤＭＩ端子１８と、ディスプレイ１３０と、スピーカ１４０とを備える。
【００１７】
また、制御部１１は、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、不揮発性メモリ１４と、ＣＰＵ（Ｃｅｎｔｒａｌ  Ｐｒｏｃｅｓｓｉｎｇ  Ｕｎｉｔ）を備えている。
【００１８】
アンテナ１は、放送形式として地上波デジタル放送、ＢＳデジタル放送及びＣＳデジタル放送等を受信することができるように構成されたアンテナである。
入力端子２は、アンテナ１から受信した放送信号をチューナ３に入力する。
チューナ３は、制御部１１からの制御信号により所望のチャンネルの放送信号を地上波デジタル放送、ＢＳデジタル放送及びＣＳデジタル放送の３種類の中から選局し、この選局された放送信号を復調（地上デジタル放送の場合にはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調、ＢＳデジタル放送及びＣＳデジタル放送の場合にはＰＳＫ（Ｐｈａｓｅ  Ｓｈｉｆｔ  Ｋｅｙｉｎｇ）復調）し、所望の番組を含んだＴＳ（Ｔｒａｎｓｐｏｒｔ  Ｓｔｒｅａｍ）を得てＴＳ処理部４に入力する。
【００１９】
チューナ３は、入力された放送信号の中から、指定されたチャンネルのＴＳを選局し、ＴＳ処理部４へ入力する。
ＴＳ処理部４は、選局されたチャンネルのＴＳがチューナ３から入力され、これら複数のＴＳを１つのＴＳに再多重して、信号処理部５に出力する。
信号処理部５は、ＴＳ処理部４から出力された複数のチャンネルが多重されたＴＳに、適切なデジタル信号処理を施す。デジタル信号処理が施されたＴＳは、データ信号、映像信号及び音声信号に分離される。この分離された映像信号はグラフィック処理部６に、音声信号は音声処理部８に、データ信号はＯＳＤ信号生成部７若しくは制御部１１に、それぞれ出力される。また、録画するためにＴＳ処理部４によって再多重されたＴＳは、制御部１１に出力される。
【００２０】
このデータ信号には、放送された番組に関する各種の情報が含まれ、例えばＥＰＧ情報がある。このＥＰＧ情報には、チャンネル情報や、チャンネル番号や、番組名や、スケジュール等が含まれる。
【００２１】
グラフィック処理部６は、信号処理部５から出力されるデジタルの映像信号のデコード処理を行う。デコードされた映像信号は、ＯＳＤ信号生成部７から出力されたＯＳＤ信号と重ね合わせて合成され、映像処理部９に出力される。グラフィック処理部６は、デコードされた映像信号又はＯＳＤ信号を、映像処理部９に選択的に出力することもできる。
【００２２】
ＯＳＤ信号生成部７は、制御部１１の制御に従って、ＵＩ（ユーザインターフェース）画面などを表示するためのＯＳＤ信号を生成する。また上述の信号処理部５において、デジタル放送信号から分離されたデータ信号は、ＯＳＤ信号生成部７により適切なフォーマットのＯＳＤ信号に変換され、グラフィック処理部６に出力される。
【００２３】
音声処理部８は、信号処理部５から入力された音声信号に、後述するイコライザ３５で記憶している複数の音声パラメータを用いて音声処理を施し、スピーカ１４０で再生可能なフォーマットのアナログ音声信号に変換する。アナログに変換された音声信号は、スピーカ１４０に出力されて再生される。
【００２４】
映像処理部９は、グラフィック処理部６から出力された信号を、ディスプレイ１３０で表示可能なフォーマットのアナログ映像信号に変換する。アナログに変換された映像信号は、ディスプレイ１３０に出力される。
【００２５】
ＨＤＤ１０は、制御部１１による制御に基づいて、チャンネルごとのＴＳを格納する。ＨＤＤ１０は、磁性体を塗布した円盤（ディスク）をモータで高速回転させて、データを記録し読み出す記憶装置である。本実施の形態においては、４つのＨＤＤ１０Ａ〜Ｄが設けられる。
【００２６】
制御部１１は、操作部１５から入力されるコマンドや、リモートコントローラ１５０から送信され受信部１６を介して受信されるコマンドに応じて、ＲＯＭ１２に予め記録されたシステム制御プログラム及び各種処理プログラムを起動させる。制御部１１は、起動したプログラムに従って、ＲＡＭ１３をワークメモリとして装置各部の動作を制御する。本実施の形態においては、制御部１１がＲＯＭ１２に記録されているＨＤＤ起動制御に関するアプリケーションを実行して、後述するＨＤＤ起動制御部２４も機能する。
【００２７】
また、制御部１１は、テレビジョン放送受信装置１００の録画及び録画した番組を再生する機能の制御を行う。即ち、制御部１１は、ＴＳ処理部４から出力された複数チャンネルが多重されているＴＳをチャンネルごとのＴＳに戻し、ＨＤＤ１０に記録する。
【００２８】
また、制御部１１は、録画したデータの再生する制御を実行し、ＨＤＤ１０に格納したチャンネルごとのＴＳを読み出して再生させた後、ディスプレイ１３０に表示させたり、スピーカ１４０から音声出力させたりすることができる。
【００２９】
ＲＯＭ１２は、ＣＰＵが実行するシステム制御プログラム及び各種処理プログラムを格納するメモリである。本実施の形態においては、ＨＤＤ起動制御に関するアプリケーションを格納している。
【００３０】
ＲＡＭ１３は、ＣＰＵが各種プログラムを展開するための、いわゆるワーキングメモリである。
不揮発性メモリ１４は、各部の動作制御に必要な各種の設定情報及び制御情報等を格納する。
操作部１５は、ユーザによる操作に応じたコマンドを受け付け、制御部１１に入力する。
受信部１６は、ユーザによるリモートコントローラ１５０の操作に応じたコマンドを受け付け、制御部１１に入力する。
ＨＤＭＩ端子１８は、ＨＤＭＩ  Ｉ／Ｆ１７を介して制御部１１に接続されている。ＨＤＭＩ端子１８には、例えばパーソナルコンピュータや液晶ディスプレイやＡＶアンプ等に接続される。制御部１１は、ＨＤＭＩ端子１８及びＨＤＭＩ  Ｉ／Ｆ１７を介して接続される機器との間で、情報の伝達を行うことができる。
【００３１】
電源部１９は、テレビジョン放送受信装置１００の各部に電源を供給する。制御部１１は、操作部１５若しくは受信部１６からテレビジョン放送受信装置１００の電源をＯＮと設定するコマンドを受信すると、電源部１９に対して各部に電源を供給するように制御する。
【００３２】
図３は、本実施の形態におけるハードディスク１１の外観図である。ＨＤＤ１０には、信号ポート２０と、電源ポート２１とが備えられ、両ポートともSATA（Serial Advanced Technology Attachment）規格に準拠している。信号ポート２０は、７本のピンを有し、HDDバス２２を介して制御部１１からの制御信号を送受信するためのポートである。電源ポート２１は、１５本のピンを有し、電源ライン２３を介して電源部１９から電源信号を受信するためのポートである。
【００３３】
通常、電源ポート２１の１１番ピンはグランドに接続されており、電源部１９から電源信号を受信すると同時にＨＤＤ１０のモータを開始するように制御されている。本実施の形態においては、この１１番ピンをグランドに接続しない状態にしているため、電源部１９から電源信号を受信しても同時にモータが回転しないようにしている。従って、本実施の形態においては、ＨＤＤ１０はＨＤＤ起動制御部２４からモータの回転開始を示す制御信号（以下、スピンアップコマンドと称する）を受信して、モータの回転を開始する。
【００３４】
ＨＤＤ起動制御部２４は、各ＨＤＤ１０に対してスピンアップコマンドを送信する。ＨＤＤ起動制御部２４は、HDDバス２２を介して接続されているＨＤＤ１０の識別子と、ＨＤＤ１０の起動する順番、即ちモータの回転開始を指示する制御信号を送信する順番を対応付けて記憶している。
【００３５】
本実施の形態においては、４つのＨＤＤ１０が備えられ、起動する順番に従ってＨＤＤ１０Ａ、ＨＤＤ１０Ｂ、ＨＤＤ１０Ｃ、ＨＤＤ１０Ｄと称する。ＨＤＤ起動制御部２４は、１番目に起動するＨＤＤ１０Ａにモータの回転開始を指示する制御信号を送信した後、所定時間（例えば数ミリ秒）が経過するまで待機する。所定時間経過後、２番目に起動するＨＤＤ１０Ｂにモータの回転開始を指示する制御信号を送信する。このように所定時間をおいてＨＤＤ１０に制御信号を送信することをＨＤＤ１０Ｄまで繰り返す。
【００３６】
以上のようにＨＤＤ起動制御部２４が、所定時間ごとに各ＨＤＤ１０へ制御信号を送信することで、複数のＨＤＤ１０が同時に起動してモータが一斉に回転を開始することがない。
【００３７】
次に本実施の形態における起動時のシステム電流について、図４及び図５を用いて説明する。図４は、従来の複数ハードディスク搭載の電子機器における起動時の電流値を示すグラフであり、図５は、本実施の形態における起動時の電流値を示すグラフである。
【００３８】
従来の形態及び本実施の形態において、ＨＤＤ１０は４つ設けられ、ＨＤＤ１０Ａ及びＨＤＤ１０Ｂは１．５インチHDD、ＨＤＤ１０ＣとＨＤＤ１０Ｄは３．５インチのHDDである。１．５インチのHDDは、１台あたりスピンアップ時のラッシュ電流値は１A、通常時の電流値は０．５Aである。３．５インチのHDDは、１台あたりスピンアップ時のラッシュ電流値は２A、通常時の電流値は０．５Aである。
【００３９】
まず、図４を用いて、従来の形態における複数のＨＤＤ１０を搭載した電子機器の起動時の電流値について説明する。従来の形態においては、ＨＤＤ１０は電源部１９から電源信号を受信すると同時にモータが回転を開始するため、４台のスピンアップ時のラッシュ電流値が重複してテレビジョン受像機１００全体の電流値は６Aとなっていた。大容量の電源を要するだけでなく、モータが一斉に回転を開始することから騒音も大きくなっていた。
【００４０】
次に、図５を用いて、本実施の形態におけるテレビジョン受像機１００の起動時の電流値について説明する。まず、ＨＤＤ起動制御部２４は、１番目に起動すると設定されているＨＤＤ１０Ａにスピンアップコマンドを送信する。ＨＤＤ１０Ａは１．５インチHDDであるから、スピンアップ時のラッシュ電流値は、１Aである。スピンアップが完了すると、通常時の電流値０．５Aになる。
【００４１】
次に、２番目に起動すると設定されているＨＤＤ１０Ｂにスピンアップコマンドを送信する。ＨＤＤ１０Ｂも１．５インチHDDであるから、スピンアップ時のラッシュ電流値１AとＨＤＤ１０Ａの通常電流値と足し合わせて１．５Aとなる。
【００４２】
次に、３番目に起動するとされているＨＤＤ１０Ｃにスピンアップコマンドを送信する。ＨＤＤ１０Ｃは３．５インチHDDであるから、スピンアップ時のラッシュ電流値は、２Aである。従って、ＨＤＤ１０Ｃのスピンアップ時のラッシュ電流値２AとＨＤＤ１０Ａ及びＨＤＤ１０Ｂの通常電流値１Aと足し合わせて３Aとなる。
【００４３】
次に、４番目に起動するとされているＨＤＤ１０Ｄにスピンアップコマンドを送信する。ＨＤＤ１０Ｄは３．５インチHDDであるから、スピンアップ時のラッシュ電流値は、２Aである。従って、ＨＤＤ１０Ｄのスピンアップ時のラッシュ電流値２AとＨＤＤ１０Ａ、ＨＤＤ１０Ｂ、及びＨＤＤ１０Ｃの通常電流値１．５Aと足し合わせて３．５Aとなる。
【００４４】
以上のように、４つのＨＤＤ１０のモータの回転開始のタイミングをずらすことで、システム全体の電流値を小さく抑えることができ、省電力化を図ることができる。また、モータの回転に伴う発熱量を分散することができるため、複数のＨＤＤ１０を近接させて搭載することが可能となり、電子機器の小型化に貢献することができる。また、モータの回転による騒音についても一時に集中することがないため、ユーザビリティの向上となる。
【００４５】
次に、ＨＤＤ起動制御部２４の行うHDD起動制御手順について説明する。図６は、本実施の形態における起動制御方法の手順を示すフローチャートである。
まず、テレビジョン受像機１００の電源がONと設定されると、電源部１９から各ＨＤＤ１０へ電源信号が送信される（ステップS１１）。次に、ＨＤＤ起動制御部２４は、１番目に起動すると設定されているＨＤＤ１０Ａに対して、スピンアップコマンドを送信する（ステップS１２）。
【００４６】
次に、ＨＤＤ起動制御部２４は、所定時間が経過したか否かを判別する（ステップS１３）。所定時間とは、ＨＤＤ起動制御部２４内で記憶されていて、例えば数ミリ秒である。ＨＤＤ起動制御部２４は、制御部１１内に備えられる計時機能により所定時間の経過を判別する。ステップS１２で判別した結果、所定時間が経過していないと判別した場合（ステップS１３のNo）、ステップS１３に戻る。一方、ステップS１３で判別した結果、所定時間が経過したと判別した場合（ステップS１３のYes）、次に、ＨＤＤ起動制御部２４は、２番目に起動すると記憶されているＨＤＤ１０Ｂに対して、スピンアップコマンドを送信する（ステップS１４）。
【００４７】
次に、ＨＤＤ起動制御部２４は、所定時間が経過したか否かを判別する（ステップS１５）。ステップS１５で判別した結果、所定時間が経過していないと判別した場合（ステップS１５のNo）、ステップS１５に戻る。一方、ステップS１５で判別した結果、所定時間が経過したと判別した場合（ステップS１５のYes）、次に、ＨＤＤ起動制御部２４は、３番目に起動すると記憶されているＨＤＤ１０Ｃに対して、スピンアップコマンドを送信する（ステップS１６）。
【００４８】
次に、ＨＤＤ起動制御部２４は、所定時間が経過したか否かを判別する（ステップS１７）。ステップS１７で判別した結果、所定時間が経過していないと判別した場合（ステップS１７のNo）、ステップS１７に戻る。一方、ステップS１７で判別した結果、所定時間が経過したと判別した場合（ステップS１７のYes）、次に、ＨＤＤ起動制御部２４は、４番目に起動すると記憶されているＨＤＤ１０Ｄに対して、スピンアップコマンドを送信する（ステップS１８）。以上で、全ＨＤＤ１０の起動が完了したので起動手順を終了する。
【００４９】
以上のように構成される本実施の形態によれば、複数のＨＤＤ１０の起動するタイミングをずらし、ＨＤＤ１０のスピンアップ時のラッシュ電流が同時点に集中することを防ぐことができる。即ち、ＨＤＤ１０の電源ポート２１の制御ピンをオープンにすることで、電源信号の受信と同時にモータの回転を開始しないようにし、信号ポート２０から受信する制御信号によりモータの回転を指示することができる。従って、ＨＤＤ１０ごとに電源部を備える手間なく、大容量を要するスピンアップのタイミングを所定時間毎に遅らせることができ、コストアップなしに省電力化を図ることができる。またモータの回転に伴う騒音や発熱についても分散することができるので、ユーザビリティの向上や機器の小型化につながる。
【００５０】
尚、本発明は上記実施の形態そのままに限定されるものではなく、実施段階ではその要旨を逸脱しない範囲で構成要素を変形して具現化できる。また、上記実施の形態に開示されている複数の構成要素の適宜な組み合わせにより、種々の発明を形成できる。例えば、実施の形態に示される全構成要素から幾つかの構成要素を削除してもよい。更に異なる実施の形態にわたる構成要素を適宜組み合わせても良い。
【符号の説明】
【００５１】
１…アンテナ、２…入力端子、３…チューナ、４…ＴＳ処理部、５…信号処理部、６…グラフィック処理部、７…ＯＳＤ信号生成部、８…音声処理部、９…映像処理部、１０…ＨＤＤ１０…制御部、１２…ＲＯＭ、１３…ＲＡＭ、１４…不揮発性メモリ、１５…操作部、１６…受信部、１７…ＨＤＭＩ  Ｉ／Ｆ、１８…ＨＤＭＩ端子、１９…電源部、２０…信号ポート、２１…電源ポート、２２…HDDバス、２３…電源ライン、２４…HDD起動制御部１１０…テレビジョン受像機、１１０…キャビネット、１２０…スタンド、１３０…ディスプレイ、１４０…スピーカ、１５０…リモコン。
【図１】
2011210339.tif 000003
【図２】
2011210339.tif 000004
【図３】
2011210339.tif 000005
【図４】
2011210339.tif 000006
【図５】
2011210339.tif 000007
【図６】
2011210339.tif 000008
【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
第１，第２のハードディスクを備えた複数のハードディスクと、
前記ハードディスクに電力を供給する電源部と、
前記ハードディスクに対して起動コマンドを送信する制御部と、
を有し、
前記制御部は、前記電源部から前記複数のハードディスクに電力を供給した際、前記第１のハードディスクに起動コマンドを送信し、所定時間の経過後に前記第２のハードディスクに起動コマンドを送信することを特徴とする電子機器。
【請求項２】
前記ハードディスクは、モータを有し、前記起動コマンドを受信することを特徴とする請求項１に記載の電子機器。
【請求項３】
前記ハードディスクは、前記電源部から電力を供給されている際に、前記起動コマンドを受信すると前記モータを回転させることを特徴とする請求項２に記載の電子機器。
【請求項４】
前記ハードディスクは、複数の制御ピンを備え、電源に接続される電源ポートを有し、
前記電源ポートは、所定の規格に準拠し、少なくとも一つの制御ピンを解放していることを特徴とする請求項１に記載の電子機器。
【請求項５】
前記所定の規格は、SATA（Serial Advanced Technology Attachment）であることを特とする請求項４に記載の電子機器。
【請求項６】
前記電子機器は、放送波を選択するチューナを有することを特徴とする請求項１に記載の電子機器。
【請求項７】
第１，第２のハードディスクを備えた複数のハードディスクを搭載した電子機器の前記ハードディスクの起動制御方法であって、
前記複数のハードディスクに電力を供給し、
前記複数のハードディスクの第１のハードディスクに起動コマンドを送信し、
所定時間経過後、前記複数のハードディスクの第２のハードディスクに起動コマンドを送信することを特徴とする起動制御方法。
【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
モータを有する第１，第２のハードディスクを備えた複数のハードディスクと、
前記ハードディスクに電力を供給する電源部と、
前記電源部から前記複数のハードディスクに電力を供給した際、前記第１のハードディスクに起動コマンドを送信し、所定時間の経過後に前記第２のハードディスクに起動コマンドを送信する制御部と、
を有し、
前記ハードディスクは、複数の制御ピン及び前記電源部に接続される電源ポートを有し、前記電源部から電力を供給されている際に、前記起動コマンドを受信すると前記モータを回転させ、
前記電源ポートは、所定の規格に準拠し、少なくとも一つの制御ピンを解放していることを特徴とする電子機器。
【請求項２】
前記所定の規格は、SATA（Serial Advanced Technology Attachment）であることを特とする請求項１に記載の電子機器。
【請求項３】
前記電子機器は、放送波を選択するチューナを有することを特徴とする請求項１に記載の電子機器。
【請求項４】
モータ、複数の制御ピン及び電源に接続される電源ポートを有する第１，第２のハードディスクを備えた複数のハードディスクを搭載した電子機器の前記ハードディスクの起動制御方法であって、
前記電源ポートを介して前記複数のハードディスクに電力を供給し、
前記複数のハードディスクの第１のハードディスクに起動コマンドを送信し、
所定時間経過後、前記複数のハードディスクの第２のハードディスクに起動コマンドを送信し、
前記電源ポートは、所定の規格に準拠し、少なくとも一つの制御ピンを解放している
ことを特徴とする起動制御方法。